(57)【要約】【課題】  ２つの方向に開くことができるスライドレールアセンブリを提供すること。【解決手段】  スライドレールアセンブリは支持機構及びスライドレールを含む。スライドレール及び支持機構は互いに可動に取り付けられる。支持機構及びスライドレールは、スライドレールが支持機構に対して第１の方向に沿って第１の伸長位置へと動かすことができるか又はスライドレールが支持機構に対して第２の方向に沿って第２の伸長位置に動かすことができるように対応する構造及び部位を有する。【選択図】  図１
2020065908.tif 000002
【特許請求の範囲】
【請求項１】
スライドレールアセンブリであって、
第１の構造、第２の構造及び該第１の構造と該第２の構造との間に配置される経路を含む支持機構と、
前記経路を通じて動かすことができるスライドレールであって、該スライドレールは第１の端部及び第２の端部を有し、該第１の端部と該第２の端部との間に第１の部位及び第２の部位が配置される、スライドレールと、
を含み、
前記スライドレールが前記経路に沿って第１の伸長位置へと第１の方向に動かされた場合、前記スライドレールの第１の端部は前記第１の構造を越えて延在し、前記第１の構造は、前記スライドレールが前記第１の伸長位置から前記第１の方向に沿って動くのを防止するために前記第１の部位をブロックするように構成され、
前記スライドレールが前記経路に沿って第２の伸長位置へと第２の方向に動かされた場合、前記スライドレールの第２の端部は前記第２の構造を越えて延在し、前記第２の構造は、前記スライドレールが前記第２の伸長位置から前記第２の方向に沿って動くのを防止するために前記第２の部位をブロックするように構成され、
前記第１の方向は、前記第２の方向の反対方向である、スライドレールアセンブリ。
【請求項２】
前記第１の構造は前記支持機構の第１の端部に隣接して配置され、前記第２の構造は前記支持機構の第２の端部に隣接して配置され、
前記支持機構は、互いに対して引っ込め可能に動かすことが可能な第１のブラケット及び第２のブラケットを含み、該第１のブラケット及び該第２のブラケットの一方は前記経路を有し、該第１のブラケット及び該第２のブラケットは、ラックに取り付けられるように構成された少なくとも１つの第１の取り付け部材及び少なくとも１つの第２の取り付け部材をそれぞれ含む、請求項１に記載のスライドレールアセンブリ。
【請求項３】
前記スライドレールが前記第１の伸長位置に位置する場合、前記第１の構造は前記スライドレールが前記第１の伸長位置から前記第２の方向に動くのを防止するために前記第２の部位をブロックするように構成され、
前記スライドレールが前記第２の伸長位置に位置する場合、前記第２の構造は前記スライドレールが前記第２の伸長位置から前記第１の方向に動くのを防止するために前記第１の部位をブロックするように構成されている、請求項１に記載のスライドレールアセンブリ。
【請求項４】
前記スライドレールアセンブリは前記スライドレールに取り付けられる作用部材をさらに含み、該作用部材には前記第１の部位及び前記第２の部位が設けられ、前記第１の部位及び前記第２の部位の間には空間が形成され、
前記スライドレールが前記第１の伸長位置に位置する場合、前記第１の構造は前記空間に対応する位置に位置し、前記第１の部位及び前記第２の部位は前記第１の構造の２つの側にそれぞれ位置し、
前記スライドレールが前記第２の伸長位置に位置する場合、前記第２の構造は前記空間に対応する位置に位置し、前記第１の部位及び前記第２の部位は前記第２の構造の２つの側にそれぞれ位置する、請求項３に記載のスライドレールアセンブリ。
【請求項５】
前記作用部材は２つの弾性部を含み、前記第１の部位及び前記第２の部位は該２つの弾性部の間に配置され、
前記２つの弾性部のそれぞれは接続区画及び弾性区画を有し、該接続区画は前記スライドレールに取り付けられ、該弾性区画は該接続区画から延び、該接続区画に対して傾斜し、
前記第１の部位及び前記第２の部位は前記２つの弾性区画にそれぞれ配置される、請求項４に記載のスライドレールアセンブリ。
【請求項６】
前記スライドレールが前記第１の伸長位置に位置し、前記弾性区画が押圧されている場合、前記第１の部位及び前記第２の部位は、前記第１の伸長位置にある前記スライドレールを前記支持機構から前記第１の方向に沿って取り外すことができるように又は前記第１の伸長位置にある前記スライドレールを前記支持機構に対して前記第２の方向に沿って引っ込めることができるように前記第１の構造の２つの側にもはや位置しておらず、
前記スライドレールが前記第２の伸長位置に位置し、前記弾性区画が押圧されている場合、前記第１の部位及び前記第２の部位は、前記第２の伸長位置にある前記スライドレールを前記支持機構から前記第２の方向に沿って取り外すことができるように又は前記第２の伸長位置にある前記スライドレールを前記支持機構に対して前記第１の方向に沿って引っ込めることができるように前記第２の構造の２つの側にもはや位置していない、請求項５に記載のスライドレールアセンブリ。
【請求項７】
スライドレールアセンブリであって、
支持機構と、
スライドレールと、
前記スライドレールに取り付けられる作用部材であって、該作用部材は第１の状態及び第２の状態のうちの一方になるように構成されている、作用部材と、
を含み、
前記支持機構及び前記スライドレールは通路を通じて互いに対して可動に取り付けられ、
前記スライドレールが所定の位置から第１の伸長位置へと第１の方向に沿って動かされ、前記作用部材が第１の状態にある場合、前記支持機構の第１の構造は、前記スライドレールが前記第１の方向に沿って動くのを防止するために前記作用部材の第１の部位をブロックするように構成され、
前記作用部材が操作されて第１の状態から第２の状態に切り替えられた場合、前記支持機構の第１の構造は、前記スライドレールを前記支持機構から前記第１の方向に沿って取り外すことができるように前記作用部材の第１の部位をもはやブロックしておらず、
前記スライドレールが前記所定の位置から第２の伸長位置へと第２の方向に沿って動かされ、前記作用部材が第１の状態にある場合、前記支持機構の第２の構造は、前記スライドレールが前記第２の方向に沿って動くのを防止するために前記作用部材の第２の部位をブロックするように構成され、
前記作用部材が操作されて第１の状態から第２の状態に切り替えられた場合、前記支持機構の第２の構造は、前記スライドレールを前記支持機構から前記第２の方向に沿って取り外すことができるように前記作用部材の第２の部位をもはやブロックしておらず、
前記第１の方向は、前記第２の方向の反対方向である、スライドレールアセンブリ。
【請求項８】
前記スライドレールが前記第１の伸長位置に位置している場合、前記第１の構造は、前記スライドレールが前記第１の伸長位置から前記第２の方向に沿って動くのを防止するために前記第２の部位をブロックするように構成され、
前記スライドレールが前記第２の伸長位置に位置している場合、前記第２の構造は、前記スライドレールが前記第２の伸長位置から前記第１の方向に沿って動くのを防止するために前記第１の部位をブロックするように構成されている、請求項７に記載のスライドレールアセンブリ。
【請求項９】
前記第１の部位及び前記第２の部位の間には空間が形成され、
前記スライドレールが前記第１の伸長位置に位置し、前記作用部材が第１の状態にある場合、前記第１の構造は前記空間に対応する位置に位置し、前記第１の部位及び前記第２の部位は前記第１の構造の２つの側にそれぞれ位置し、
前記スライドレールが前記第２の伸長位置に位置し、前記作用部材が第１の状態にある場合、前記第２の構造は前記空間に対応する位置に位置し、前記第１の部位及び前記第２の部位は前記第２の構造の２つの側にそれぞれ位置する、請求項８に記載のスライドレールアセンブリ。
【請求項１０】
前記作用部材は２つの弾性部を含み、前記第１の部位及び前記第２の部位は該２つの弾性部の間に配置され、
前記２つの弾性部のそれぞれは接続区画及び弾性区画を有し、該接続区画は前記スライドレールに取り付けられ、該弾性区画は該接続区画から延び、該接続区画に対して傾斜し、
前記第１の部位及び前記第２の部位は前記２つの弾性区画にそれぞれ配置される、請求項９に記載のスライドレールアセンブリ。
【発明の詳細な説明】
【技術分野】
【０００１】
本発明はスライドレール機構に関し、より具体的には２つの方向に開くように構成されたスライドレールアセンブリに関する。
【背景技術】
【０００２】
スライドレールアセンブリは幅広く使用されている。例えば、スライドレールアセンブリは、固定物体（例えばキャビネット又はラック）に対して保持物体を開いたり引っ込めたりできるように保持物体を保持するのに用いることができる。特許文献１には、第１のレール４４、第２のレール４６及び係合部材４８を含むスライドレールアセンブリ１０が開示されている。第２のレール４６が第１のレール４４に対して所定の方向に沿って伸長位置に動かされると、第２のレール４６と、第２のレール４６により保持される保持物体（例えばシャーシ）が第１のレール４４から外れるのを防止することができるように、係合部材４８の接触部６６がアーム部材２６のブロック部３０と当接して第２のレール４６を伸長位置でブロックする。
【先行技術文献】
【特許文献】
【０００３】
【特許文献１】米国特許第９４８０１８３号明細書
【発明の概要】
【発明が解決しようとする課題】
【０００４】
しかしながら、様々な市場の要望のために、そのような市場の要望を満たす様々なスライドレール製品を開発することが重要である。
【０００５】
本発明は、２つの方向に開くように構成されたスライドレールアセンブリに関する。
【課題を解決するための手段】
【０００６】
本発明の一実施形態によれば、スライドレールアセンブリは、支持機構と、スライドレールとを含む。支持機構は第１の構造、第２の構造及び該第１の構造と該第２の構造との間に配置される経路を含む。スライドレールは経路を通じて動かすことができる。スライドレールは第１の端部及び第２の端部を有する。該第１の端部と該第２の端部との間に第１の部位及び第２の部位が配置される。スライドレールが経路に沿って第１の伸長位置へと第１の方向に動かされた場合、スライドレールの第１の端部は第１の構造を越えて延在し、第１の構造は、スライドレールが第１の伸長位置から第１の方向に沿って動くのを防止するために第１の部位をブロックするように構成されている。スライドレールが経路に沿って第２の伸長位置へと第２の方向に動かされた場合、スライドレールの第２の端部は第２の構造を越えて延在し、第２の構造は、スライドレールが第２の伸長位置から第２の方向に沿って動くのを防止するために第２の部位をブロックするように構成されている。第１の方向は、第２の方向の反対方向である。
【０００７】
本発明の別の実施形態によれば、スライドレールアセンブリは支持機構と、スライドレールと、作用部材とを含む。作用部材はスライドレールに取り付けられる。作用部材は第１の状態及び第２の状態のうちの一方になるように構成されている。支持機構及びスライドレールは通路を通じて互いに対して可動に取り付けられている。スライドレールが所定の位置から第１の伸長位置へと第１の方向に沿って動かされ、作用部材が第１の状態にある場合、支持機構の第１の構造は、スライドレールが第１の方向に沿って動くのを防止するために作用部材の第１の部位をブロックするように構成されている。作用部材が操作されて第１の状態から第２の状態に切り替えられた場合、支持機構の第１の構造は、スライドレールを支持機構から第１の方向に沿って取り外すことができるように作用部材の第１の部位をもはやブロックしていない。スライドレールが所定の位置から第２の伸長位置へと第２の方向に沿って動かされ、作用部材が第１の状態にある場合、支持機構の第２の構造は、スライドレールが第２の方向に沿って動くのを防止するために作用部材の第２の部位をブロックするように構成されている。作用部材が操作されて第１の状態から第２の状態に切り替えられた場合、支持機構の第２の構造は、スライドレールを支持機構から第２の方向に沿って取り外すことができるように作用部材の第２の部位をもはやブロックしていない。第１の方向は、前記第２の方向の反対方向である。
【０００８】
様々な図面に図示する下記の好ましい実施形態の詳細な説明を読み終えた後、本発明の上記の目的及び他の目的が当業者に間違いなく明らかになる。
【図面の簡単な説明】
【０００９】
【図１】図１は、本発明の一実施形態に係るスライドレールアセンブリを示す図である。
【図２】図２は、本発明の一実施形態に係る、第１の実施タイプのスライドレールアセンブリの分解図である。
【図３】図３は、図２の領域Ａの拡大図である。
【図４】図４は、図２の領域Ｂの拡大図である。
【図５】図５は、本発明の一実施形態に係る、支持機構に対して所定の位置に位置するスライドレールアセンブリのスライドレールを示す図である。
【図６】図６は、本発明の一実施形態に係る、支持機構に対して第１の方向に沿って動かされたスライドレールアセンブリのスライドレールを示す図である。
【図７】図７は、本発明の一実施形態に係る、支持機構に対して第１の伸長位置に位置するスライドレールアセンブリのスライドレールを示す図である。
【図８】図８は、本発明の一実施形態に係る、支持機構に対して第１の方向に沿ってさらに動かされたスライドレールアセンブリのスライドレールを示す図である。
【図９】図９は、本発明の一実施形態に係る、支持機構から取り外すために支持機構に対して第１の方向に沿ってさらに動かされたスライドレールアセンブリのスライドレールを示す図である。
【図１０】図１０は、本発明の一実施形態に係る、第２の方向に沿って支持機構に取り付けられるスライドレールアセンブリの取り外されたスライドレールを示す図である。
【図１１】図１１は、本発明の一実施形態に係る、支持機構に対して第２の方向に沿って第２の伸長位置に動かされたスライドレールアセンブリのスライドレールを示す図である。
【図１２】図１２は、本発明の一実施形態に係る、支持機構から取り外すために支持機構に対して第２の方向に沿って動かされたスライドレールアセンブリのスライドレールを示す図である。
【図１３】図１３は、本発明の一実施形態に係る、第２の実施タイプのスライドレールアセンブリの分解図である。
【図１４】図１４は、本発明の一実施形態に係る、第１の深さのラックに取り付けられたスライドレールアセンブリを示す図であり、スライドレールは保持物体を保持するように構成されている。
【図１５】図１５は、図１４の領域Ａの拡大図である。
【図１６】図１６は、図１４の領域Ｂの拡大図である。
【図１７】図１７は、本発明の一実施形態に係る、第２の深さのラックに取り付けられたスライドレールアセンブリを示す図であり、スライドレールは保持物体を保持するように構成されている。
【図１８】図１８は、図１７の領域Ａの拡大図である。
【発明を実施するための形態】
【００１０】
図１及び図２に示すように、本発明の一実施形態に係るスライドレールアセンブリ２０は支持機構２２及びスライドレール２４を含む。
【００１１】
支持機構２２は第１の構造２６（図３も参照されたい）、第２の構造２８（図４も参照されたい）及び第１の構造２６と第２の構造２８との間に配置される経路３０を含む。支持機構２２は第１の端部２２ａ及び第２の端部２２ｂを含むことが好ましい。例えば、第１の端部２２ａ及び第２の端部２２ｂはそれぞれ前部及び後部であり得るが、本発明は係る構成に限定されない。さらに、第２の端部２２ｂは第１の端部２２ａから離れている。第１の構造２６は第１の端部２２ａに隣接して配置され、第２の構造２８は第２の端部２２ｂに隣接して配置される。支持機構２２は上壁３２、下壁３４及び上壁３２と下壁３４との間に接続される長手壁３６を含むことが好ましい。上壁３２、下壁３４及び長手壁３６により通路が定義される。該通路は経路３０を提供するように構成されている。
【００１２】
スライドレール２４は経路３０を通じて支持機構２２に対して可動である。即ち、スライドレール２４及び支持機構２２は通路を通じて互いに可動に取り付けられている。さらに、スライドレール２４は第１の端部２４ａ及び第２の端部２４ｂを有し、第１の端部２４ａと第２の端部２４ｂとの間に第１の部位３８ａ及び第２の部位３８ｂが配置される。スライドレール２４は第１の壁３５、第２の壁３７及び第１の壁３５と第２の壁３７との間に接続される側壁３９を含むことが好ましい。スライドレール２４の第１の壁３５及び第２の壁３７はそれぞれ支持機構２２の上壁３２及び下壁３４に支持されるように構成され、スライドレール２４の側壁３９は、支持機構２２の長手壁３６に対応する位置に位置する。スライドレールアセンブリ２０は、スライドレール２４に取り付けられる作用部材４０をさらに含むことが好ましい。本実施形態では、作用部材４０はスライドレール２４の側壁３９に取り付けられ、作用部材４０は支持機構２２の長手壁３６に対向するように構成されている。作用部材４０には第１の部位３８ａ及び第２の部位３８ｂが設けられる。作用部材４０は第１の弾性部４２及び第２の弾性部４４を含み、第１の部位３８ａ及び第２の部位３８ｂは第１の弾性部４２と第２の弾性部４４との間に配置される。第１の部位３８ａと第２の部位３８ｂとの間に空間４６が形成され、第１の部位３８ａ及び第２の部位３８ｂは空間４６の２つの側にある壁であることが好ましい。第１の弾性部４２及び第２の弾性部４４のそれぞれは、接続区画４８及び弾性区画５０を有することが好ましい。接続区画４８はスライドレール２４に取り付けられる。例えば、接続区画４８及びスライドレール２４は接続物体５２と孔５４（例えば長手孔）との整合を通じて互いに取り付けられている。孔５４の直径は、作用部材４０に外力が加えられている間に作用部材４０をスライドレール２４に対して僅かに動かすことができるように接続物体５２の直径よりも僅かに大きいことが好ましい。あるいは、作用部材４０は、接続区画４８を通じてリベット留め又は溶接によりスライドレール２４に固定することができる。しかしながら、本発明においては、作用部材４０をスライドレール２４に取り付けるための方法はこれらに限定されない。他方、弾性区画５０は接続区画４８から延びて、接続区画４８に対して傾斜している。第１の部位３８ａ及び第２の部位３８ｂは、第２の弾性部４４の弾性区画５０及び第１の弾性部４２の弾性区画５０にそれぞれ配置される。各弾性区画５０はガイド面５１を有する。２つの弾性区画５０のガイド面５１は、第１の構造２６及び第２の構造２８とそれぞれ相互作用するように構成されている。ガイド面５１は傾斜面又は弧面である。
【００１３】
図５に示すように、支持機構２２の第１の構造２６又は第２の構造２８は突起である。本発明では、第１の構造２６及び第２の構造２８の双方が突起である。第１の構造２６及び第２の構造２８のそれぞれはブロック部５６及びガイド部５８を有することが好ましい。ブロック部５６及びガイド部５８は反対側に位置する。ガイド部５８は傾斜面又は弧面を有することが好ましい。
【００１４】
さらに、スライドレール２４は、支持機構２２に対して、引っ込め位置等の所定の位置に位置するように構成されている。スライドレール２４が所定の位置に位置している場合、スライドレール２４は第１の構造２６と第２の構造２８との間に位置する。加えて、スライドレール２４は支持機構２２に対して所定の位置から第１の方向Ｄ１又は第２の方向Ｄ２に沿って動かすことができる。第１の方向Ｄ１は第２の方向Ｄ２の反対方向である。作用部材４０は第１の状態Ｓ１（例えば操作される前の状態）にある。
【００１５】
図６に示すように、スライドレール２４が所定の位置から経路３０に沿って第１の方向Ｄ１に動かされた場合、作用部材４０の第１の弾性部４２のガイド面５１は、作用部材４０が第１の状態Ｓ１でなくなるように、第１の構造２６と接触して作用部材４０に加えられる作用力を生成する。その間、第１の弾性部４２（及び第２の弾性部４４）は弾性力を蓄積する状態にある。
【００１６】
図７に示すように、スライドレール２４が第１の方向Ｄ１に沿って第１の伸長位置Ｅ１にさらに動かされた場合、スライドレール２４の第１の端部２４ａは第１の構造２６（又は第１の端部２２ａ）を越えて延在し、第１の構造２６はスライドレール２４が第１の伸長位置Ｅ１から第１の方向Ｄ１に沿って動くのを防止するために第１の部位３８ａをブロックするように構成されている。例えば、スライドレール２４が第１の伸長位置Ｅ１に位置する場合、第１の構造２６は、第１の弾性部４２（及び第２の弾性部４４）が弾性力を放って作用部材４０が第１の状態Ｓ１に戻るように空間４６に対応する位置に位置する。その間、第１の部位３８ａ及び第２の部位３８ｂは第１の構造２６の２つの側にそれぞれ位置する。第１の構造２６のブロック部５６は、スライドレール２４が第１の伸長位置Ｅ１から第１の方向Ｄ１に沿って動くのを防止するために第１の部位３８ａをブロックするように構成されているか又は第１の構造２６のガイド部５８は、スライドレール２４が第１の伸長位置Ｅ１から第２の方向Ｄ２に沿って動くのを防止するために第２の部位３８ｂをブロックするように構成されている。さらに、第１の構造２６のガイド部５８は傾斜面又は弧面を有するため、ユーザーはスライドレール２４に第２の方向Ｄ２に沿って僅かに力を加えることで、第２の部位３８ｂが第２の構造２６のガイド部５８を第２の方向Ｄ２に沿って渡ることができる、スライドレール２４を第１の伸長位置Ｅ１から第２の方向Ｄ２に沿って引っ込めることができる。
【００１７】
図７、図８及び図９を参照して、スライドレール２４が（図７に示すように）支持機構２２に対して第１の伸長位置Ｅ１に位置している場合、ユーザーは作用部材４０を操作して第１の状態Ｓ１から第２の状態Ｓ２（例えば、図８に示す操作後の状態）に切り替えることができる。作用部材４０が第２の状態Ｓ２にある場合、支持機構２２の第１の構造２６のブロック部５６は作用部材４０の第１の部位３８ａをもはやブロックしておらず、スライドレール２４を（図９に示すように）第１の方向Ｄ１に沿って支持機構２２から取り外すことができる。他方、スライドレール２４を支持機構２２に再び取り付ける場合、ユーザーはスライドレール２４の第１の端部２４ａを支持機構２２の第２の端部２２ｂ内に挿入するか又はスライドレール２４の第２の端部２４ｂを支持機構２２の第１の端部２２ａ内に挿入することができる。
【００１８】
具体的には、スライドレール２４が（図７に示す）第１の伸長位置Ｅ１に位置し、弾性区画（例えば第１の弾性部４２の弾性区画５０）が（図８に示すように）力Ｆにより押圧されている場合、第１の部位３８ａ及び第２の部位３８ｂは第１の構造２６の２つの側にもはや位置していないため、第１の伸長位置Ｅ１にあるスライドレール２４を（図９に示すように）第１の方向Ｄ１に沿って支持機構２２から取り外すことができるか又は第１の伸長位置Ｅ１にあるスライドレール２４を第２の方向Ｄ２に沿って支持機構２２に対して引っ込めることができる。
【００１９】
図１０に示すように、取り外したスライドレール２４を再び支持機構２２に取り付ける場合、スライドレール２４は第２の方向Ｄ２に沿って再度支持機構２２に取り付けることができる。第１の構造２６のガイド部５８は傾斜面又は弧面を有しているため、ユーザーは第２の方向Ｄ２に沿ってスライドレール２４に力を僅かに加えることで第２の部位３８ｂを第２の方向Ｄ２に第１の構造２６のガイド部５８を渡るようにできるため、スライドレール２４を第１の伸長位置Ｅ１（図７を参照されたい）から第２の方向Ｄ２に沿って引っ込めることができる。
【００２０】
図５及び図１１に示すように、スライドレール２４が（図５に示す）所定の位置から（図１１に示す）第２の伸長位置Ｅ２に第２の方向Ｄ２に沿って動かされた場合、スライドレール２４の第２の端部２４ｂは第２の構造２８（又は第２の端部２２ｂ）を越えて延在し、第２の構造２８は、スライドレール２４が第２の伸長位置Ｅ２から第２の方向Ｄ２に沿って動くのを防止するために第２の部位３８ｂをブロックするように構成されている。
【００２１】
例えば、スライドレール２４が第２の伸長位置Ｅ２に位置している場合、第２の構造２８は空間４６に対応する位置に位置し、作用部材４０は、第１の弾性部４２（及び第２の弾性部４４）の弾性力により第１の状態Ｓ１にある。その間、第１の部位３８ａ及び第２の部位３８ｂは第２の構造２８の２つの側にそれぞれ位置する。第２の構造２８のブロック部５６は、スライドレール２４が第２の伸長位置Ｅ２から第２の方向Ｄ２に沿って動くのを防止するために作用部材４０の第２の部位３８ｂをブロックするように構成されているか又は第２の構造２８のガイド部５８は、スライドレール２４が第２の伸長位置Ｅ２から第１の方向Ｄ１に沿って動くのを防止するために第１の部位３８ａをブロックするように構成されている。さらに、第２の構造２８のガイド部５８は傾斜面又は弧面を有しているため、ユーザーは第１の方向Ｄ１に沿ってスライドレール２４に僅かに力を加えることで第１の部位３８ａが第１の方向Ｄ１に沿って第２の構造２８のガイド部５８を渡るようにできるため、スライドレール２４を第２の伸長位置Ｅ２から第１の方向Ｄ１に沿って引っ込めることができる。
【００２２】
図１１及び図１２に示すように、スライドレール２４が第２の伸長位置Ｅ２に位置し、作用部材４０を第１の状態Ｓ１から第２の状態Ｓ２に切り替えるために弾性区画（例えば第２の弾性部４４の弾性区画５０）が押圧されている場合、第１の部位３８ａ及び第２の部位３８ｂは第２の構造２８の２つの側にもはや位置していない（即ち、第２の構造２８は第２の部位３８ｂ及び第１の部位３８ａをもはやブロックしない）ため、第２の伸長位置Ｅ２にあるスライドレール２４は（図１２に示すように）第２の方向Ｄ２に沿って支持機構２２から取り外すことができるか又は第２の伸長位置Ｅ２にあるスライドレール２４を支持機構２２に対して第１の方向Ｄ１に沿って引っ込めることができる。同様に、スライドレール２４を再び支持機構２２に取り付ける場合、ユーザーはスライドレール２４の第１の端部２４ａを支持機構２２の第２の端部２２ｂ内に挿入するか又はスライドレール２４の第２の端部２４ｂを支持機構２２の第１の端部２２ａ内に挿入することができる。
【００２３】
図１３及び図１４に示すように、本発明の一実施形態によれば、支持機構２２は第１のブラケット６０及び第２のブラケット６２を含む。第１のブラケット６０は支持レール６４の一端に配置される。第１のブラケット６０は長手支持壁６６と、長手支持壁６６に隣接する少なくとも１つの第１の取り付け部材６８とを含む。他方、第２のブラケット６２は伸長レール７０と、伸長レール７０に隣接する少なくとも１つの第２の取り付け部材７２とを含む。伸長レール７０は、第１のブラケット６０及び第２のブラケット６２は互いに対して引っ込めることができるとともに可動となるように支持レール６４の支持通路７４に可動に取り付けられる。少なくとも１つの第２の取り付け部材７２は、伸長レール７０を支持レール６４に対して調節することにより支持レール６４を動かして他端に近づけることができる。第１のブラケット６０及び第２のブラケット６２のうちの一方は経路３０を有する。本実施形態では、第１のブラケット６０の長手支持壁６６及び第２のブラケット６２の伸長レール７０は、互いに連通する第１の経路３０ａ及び第２の経路３０ｂをそれぞれ提供するように構成されている。さらに、スライドレール２４は、第１の経路３０ａ及び第２の経路３０ｂを通じて支持機構２２に対して可動である。第１の構造２６は第１のブラケット６０の長手支持壁６６に配置され、第２の構造２８は第２のブラケット６２の伸長レール７０に配置される。スライドレール２４が所定の位置（例えば引っ込め位置）に位置している場合、スライドレール２４は第１の構造２６と第２の構造２８との間に位置する。作用部材４０はスライドレール２４に取り付けられている。簡略化のために、作用部材４０、第１の構造２６及び第２の構造２８の間の相互作用についてのさらなる説明は省略する。
【００２４】
支持レール６４及び伸長レール７０は第１の制限部７６及び第２の制限部７８をそれぞれ有することが好ましい。例えば、第１の制限部７６及び第２の制限部７８のうちの一方は弾性アームであり、第１の制限部７６及び第２の制限部７８のうちの他方は孔の境界壁である。第１の制限部７６及び第２の制限部７８は互いに当接するように構成されている。本実施形態では、第１の制限部７６は弾性アームであり、第２の制限部７８は孔の境界壁である。
【００２５】
図１４に示すように、第１のブラケット６０及び第２のブラケット６２は、少なくとも１つの第１の取り付け部材６８及び少なくとも１つの第２の取り付け部材７２を通じてラックの第１のポスト８０及び第２のポスト８２にそれぞれ取り付けられている。第１のブラケット６０及び第２のブラケット６２は、支持機構２２が、ラックの第１の深さに対応する第１の長さＬ１を有するように調節できる。（図１６に示す）第１の制限部７６は（図１５に示す）第２の制限部７８から所定の距離離れている。他方、スライドレール２４は、電子機器又は引き出し等の保持物体８４を保持するように構成されている。スライドレール２４は、支持機構２２に対して第１の方向Ｄ１に沿って動かして支持機構２２から取り外すことができるか又はスライドレール２４は支持機構２２に対して第２の方向Ｄ２に沿って動かして支持機構２２から取り外すことができる。支持機構２２からスライドレール２４を取り外す操作については、簡略化のためにさらなる説明は省略するため、図９、図１２及び前述の説明を参照されたい。
【００２６】
図１７に示すように、第１のブラケット６０及び第２のブラケット６２は、支持機構２２が第１の長さＬ１よりも大きく且つラックの第２の深さに対応する第２の長さＬ２を有するように調節できる。さらに、第１の制限部７６及び第２の制限部７８は（図１８に示すように）互いに当接して制限効果を提供する。
【００２７】
したがって、本発明の実施形態のスライドレールアセンブリ２０は以下のように特徴付けられる。
【００２８】
１）スライドレール２４を支持機構２２に対して第１の方向Ｄ１に沿って動かして支持機構２２から取り外すことができ、スライドレール２４を支持機構２２に対して第２の方向Ｄ１に沿って動かして支持機構２２から取り外すこともできるため、スライドレールアセンブリ２０のメンテナンスが容易になる。即ち、スライドレール２４が保持物体８４を保持している場合、スライドレール２４を通じて保持物体８４を２つの方向に沿って支持機構２２から取り外すことができるため、メンテナンスが容易になる。
【００２９】
２）支持機構２２は、スライドレール２４を支持するように構成されたスライドレール、ブラケット又はスライドレール及びブラケットの組み合わせであり、スライドレール２４は経路３０を通じて支持機構２２に対して所定の位置（例えば引っ込め位置）から２つの方向に沿って開くことができる。
【００３０】
３）ユーザーの様々な設置要件を満たすために、スライドレール２４の２つの端部のいずれか１つを支持機構２２に挿入して取り付けることができる。
【００３１】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００３２】
２０  スライドレールアセンブリ
２２  支持機構
２４  スライドレール
２６  第１の構造
２８  第２の構造
３０  経路
３８ａ  第１の部位
３８ｂ  第２の部位
４０  作用部材
４２  第１の弾性部
４４  第２の弾性部
４６  空間
４８  接続区画
５０  弾性区画
５２  接続物体
５４  孔
５６  ブロック部
５８  ガイド部
６０  第１のブラケット
６２  第２のブラケット
６４  支持レール
６６  長手支持壁
６８  第１の取り付け部材
７０  伸長レール
７２  第２の取り付け部材
【図１】
2020065908.tif 000003
【図２】
2020065908.tif 000004
【図３】
2020065908.tif 000005
【図４】
2020065908.tif 000006
【図５】
2020065908.tif 000007
【図６】
2020065908.tif 000008
【図７】
2020065908.tif 000009
【図８】
2020065908.tif 000010
【図９】
2020065908.tif 000011
【図１０】
2020065908.tif 000012
【図１１】
2020065908.tif 000013
【図１２】
2020065908.tif 000014
【図１３】
2020065908.tif 000015
【図１４】
2020065908.tif 000016
【図１５】
2020065908.tif 000017
【図１６】
2020065908.tif 000018
【図１７】
2020065908.tif 000019
【図１８】
2020065908.tif 000020
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
スライドレールアセンブリであって、
第１の構造、第２の構造、該第１の構造と該第２の構造との間に配置される経路、第１の端部及び第２の端部を含む支持機構であって、該経路は該支持機構の上壁、下壁及び該上壁と該下壁との間に接続される長手壁によって定義され、該第１の構造及び該第２の構造は、該該上壁と該下壁との実質的に中間に位置し且つ該第１の端部及び該第２の端部にそれぞれ隣接するように該長手壁に配置されている、支持機構と、
前記経路を通じて動かすことができるスライドレールであって、該スライドレールは第１の端部及び第２の端部を有し、該第１の端部と該第２の端部との間に第１の部位及び第２の部位が配置される、スライドレールと、
を含み、
前記スライドレールが前記経路に沿って第１の伸長位置へと第１の方向に動かされた場合、前記スライドレールの第１の端部は前記第１の構造を越えて延在し、前記第１の構造は、前記スライドレールが前記第１の伸長位置から前記第１の方向に沿って動くのを防止するために前記第１の部位をブロックするように構成され、
前記スライドレールが前記経路に沿って第２の伸長位置へと第２の方向に動かされた場合、前記スライドレールの第２の端部は前記第２の構造を越えて延在し、前記第２の構造は、前記スライドレールが前記第２の伸長位置から前記第２の方向に沿って動くのを防止するために前記第２の部位をブロックするように構成され、
前記第１の方向は、前記第２の方向の反対方向である、スライドレールアセンブリ。
【請求項２】
前記支持機構は、互いに対して引っ込め可能に動かすことが可能な第１のブラケット及び第２のブラケットを含み、該第１のブラケット及び該第２のブラケットの一方は前記経路を有し、該第１のブラケット及び該第２のブラケットは、ラックに取り付けられるように構成された少なくとも１つの第１の取り付け部材及び少なくとも１つの第２の取り付け部材をそれぞれ含む、請求項１に記載のスライドレールアセンブリ。
【請求項３】
前記スライドレールが前記第１の伸長位置に位置する場合、前記第１の構造は前記スライドレールが前記第１の伸長位置から前記第２の方向に動くのを防止するために前記第２の部位をブロックするように構成され、
前記スライドレールが前記第２の伸長位置に位置する場合、前記第２の構造は前記スライドレールが前記第２の伸長位置から前記第１の方向に動くのを防止するために前記第１の部位をブロックするように構成されている、請求項１に記載のスライドレールアセンブリ。
【請求項４】
前記スライドレールアセンブリは前記スライドレールに取り付けられる作用部材をさらに含み、該作用部材には前記第１の部位及び前記第２の部位が設けられ、前記第１の部位及び前記第２の部位の間には空間が形成され、
前記スライドレールが前記第１の伸長位置に位置する場合、前記第１の構造は前記空間に対応する位置に位置し、前記第１の部位及び前記第２の部位は前記第１の構造の２つの側にそれぞれ位置し、
前記スライドレールが前記第２の伸長位置に位置する場合、前記第２の構造は前記空間に対応する位置に位置し、前記第１の部位及び前記第２の部位は前記第２の構造の２つの側にそれぞれ位置する、請求項３に記載のスライドレールアセンブリ。
【請求項５】
前記作用部材は２つの弾性部を含み、前記第１の部位及び前記第２の部位は該２つの弾性部の間に配置され、
前記２つの弾性部のそれぞれは接続区画及び弾性区画を有し、該接続区画は前記スライドレールに取り付けられ、該弾性区画は該接続区画から延び、該接続区画に対して傾斜し、
前記第１の部位及び前記第２の部位は前記２つの弾性区画にそれぞれ配置される、請求項４に記載のスライドレールアセンブリ。
【請求項６】
前記スライドレールが前記第１の伸長位置に位置し、前記弾性区画が押圧されている場合、前記第１の部位及び前記第２の部位は、前記第１の伸長位置にある前記スライドレールを前記支持機構から前記第１の方向に沿って取り外すことができるように又は前記第１の伸長位置にある前記スライドレールを前記支持機構に対して前記第２の方向に沿って引っ込めることができるように前記第１の構造の２つの側にもはや位置しておらず、
前記スライドレールが前記第２の伸長位置に位置し、前記弾性区画が押圧されている場合、前記第１の部位及び前記第２の部位は、前記第２の伸長位置にある前記スライドレールを前記支持機構から前記第２の方向に沿って取り外すことができるように又は前記第２の伸長位置にある前記スライドレールを前記支持機構に対して前記第１の方向に沿って引っ込めることができるように前記第２の構造の２つの側にもはや位置していない、請求項５に記載のスライドレールアセンブリ。
【請求項７】
スライドレールアセンブリであって、
支持機構と、
スライドレールと、
前記スライドレールに取り付けられる作用部材であって、該作用部材は第１の状態及び第２の状態のうちの一方になるように構成されている、作用部材と、
を含み、
前記支持機構及び前記スライドレールは通路を通じて互いに対して可動に取り付けられ、
前記スライドレールが所定の位置から第１の伸長位置へと第１の方向に沿って動かされ、前記作用部材が第１の状態にある場合、前記支持機構の第１の構造は、前記スライドレールが前記第１の方向に沿って動くのを防止するために前記作用部材の第１の部位をブロックするように構成され、
前記作用部材が操作されて第１の状態から第２の状態に切り替えられた場合、前記支持機構の第１の構造は、前記スライドレールを前記支持機構から前記第１の方向に沿って取り外すことができるように前記作用部材の第１の部位をもはやブロックしておらず、
前記スライドレールが前記所定の位置から第２の伸長位置へと第２の方向に沿って動かされ、前記作用部材が第１の状態にある場合、前記支持機構の第２の構造は、前記スライドレールが前記第２の方向に沿って動くのを防止するために前記作用部材の第２の部位をブロックするように構成され、
前記作用部材が操作されて第１の状態から第２の状態に切り替えられた場合、前記支持機構の第２の構造は、前記スライドレールを前記支持機構から前記第２の方向に沿って取り外すことができるように前記作用部材の第２の部位をもはやブロックしておらず、
前記第１の方向は、前記第２の方向の反対方向である、スライドレールアセンブリ。
【請求項８】
前記スライドレールが前記第１の伸長位置に位置している場合、前記第１の構造は、前記スライドレールが前記第１の伸長位置から前記第２の方向に沿って動くのを防止するために前記第２の部位をブロックするように構成され、
前記スライドレールが前記第２の伸長位置に位置している場合、前記第２の構造は、前記スライドレールが前記第２の伸長位置から前記第１の方向に沿って動くのを防止するために前記第１の部位をブロックするように構成されている、請求項７に記載のスライドレールアセンブリ。
【請求項９】
前記第１の部位及び前記第２の部位の間には空間が形成され、
前記スライドレールが前記第１の伸長位置に位置し、前記作用部材が第１の状態にある場合、前記第１の構造は前記空間に対応する位置に位置し、前記第１の部位及び前記第２の部位は前記第１の構造の２つの側にそれぞれ位置し、
前記スライドレールが前記第２の伸長位置に位置し、前記作用部材が第１の状態にある場合、前記第２の構造は前記空間に対応する位置に位置し、前記第１の部位及び前記第２の部位は前記第２の構造の２つの側にそれぞれ位置する、請求項８に記載のスライドレールアセンブリ。
【請求項１０】
前記作用部材は２つの弾性部を含み、前記第１の部位及び前記第２の部位は該２つの弾性部の間に配置され、
前記２つの弾性部のそれぞれは接続区画及び弾性区画を有し、該接続区画は前記スライドレールに取り付けられ、該弾性区画は該接続区画から延び、該接続区画に対して傾斜し、
前記第１の部位及び前記第２の部位は前記２つの弾性区画にそれぞれ配置される、請求項９に記載のスライドレールアセンブリ。